(57)【特許請求の範囲】
【請求項１】
測定面の傾斜の状態を測定して表示可能な水準器本体と、
前記測定面とほぼ平行にスライド可能なように前記水準器本体に対して取り付けられ、前記水準器本体から最も離反する展開位置と最も近接する折り畳み位置との間で切り替え可能な一以上のスライダと、
前記スライダが複数ある場合には、その各スライダに対して、前記スライダが一つである場合には、そのスライダおよび前記水準器本体に対して、回転可能なように取り付けられ、前記測定面に対してほぼ垂直となる起立位置とほぼ平行となる倒伏位置との間で切り替え可能であり、前記起立位置において前記水準器本体をグリーン上から浮き上がった状態に支持する三以上の支持脚と、を備えるグリーン用水準器。
【請求項２】
前記各支持脚は、前記スライダのスライド方向と直交する方向に沿ってスライド可能なように前記スライダまたは前記水準器本体に取り付けられ、取り付けられた前記スライダまたは前記水準器本体から最も離反する展開位置と最も接近する折り畳み位置との間で切り替え可能に構成されている、請求項１に記載のグリーン用水準器。
【請求項３】
前記各支持脚の展開位置および折り畳み位置でその回転を阻止し、かつ展開位置と折り畳み位置との中間位置でその回転を許容するロック機構をさらに備える請求項２に記載のグリーン用水準器。
【発明の詳細な説明】
【技術分野】
【０００１】
本発明は、ゴルフコースのグリーン上でラインを読み取る際に使用するのに好適な水準器に関する。
【背景技術】
【０００２】
ゴルフプレイのパッティング時には、グリーン上のゴルフボールとゴルフカップとの間に位置する領域の傾斜の状態、すなわちラインを読み取ることが必要となるが、通常は目視するにとどまり、測定器具などを用いることはあまりおこなわれていなかった。
【０００３】
もっとも、目視のみによってラインを読むには、経験やセンスが必要になってとくにゴルフの初心者にとっては困難をともなうことから、特許文献１〜６のように、ゴルフマーカーに水準器を取り付けたものが多数考案されている。
このゴルフマーカーを用いてグリーン上に位置するゴルフボールのマーキングをおこなうことで、付属する水準器によりゴルフボール近傍箇所の傾斜の状態をある程度は読み取ることが可能である。
しかし、水準器をゴルフマーカーに付属させた場合には、水準器の寸法がゴルフマーカーの寸法に制約されて自ずと小さくなるため、マーキングの対象となるゴルフボールの近傍のごく狭い領域の傾斜の状態しか測定結果に反映させることができない。
【０００４】
一方、ゴルフマーカーなどのゴルフ用具とは別体に形成された、汎用されている比較的大型の水準器を、グリーン上のゴルフボールとゴルフカップとの間のより広範な領域に載置することで、ラインの状態をより正確に読み取ろうとする試みも想定されうる。
しかし、この種の水準器は寸法が大きく、また不使用時に折り畳めるものでもないため、ゴルフプレイ時に持ち運びするのが容易ではない。
また、この種の水準器は、その測定基準面となるフラットな底面のほぼ全域を対象物へと密着させて、水準器がぐらつかないような状態にしてから測定をおこなうものである。
このように、本来的には、底面のほぼ全域を密着させることが可能な、凹凸のわずかな対象物の測定しか想定されておらず、グリーン上のような凹凸の激しい個所に、この種の水準器を設置した場合には、測定基準面としての底面のごく一部しかグリーンには接触することはなく、底面の大部分はグリーン上から浮き上がることになる。
その結果、水準器がぐらついてしまい、ラインの状態を正確に読み取ることは不可能である。
【先行技術文献】
【特許文献】
【０００５】
【特許文献１】特開平１０‐２３４９０７号公報
【特許文献２】特開平１１‐３４７１６７号公報
【特許文献３】特開２００１‐１４９５１７号公報
【特許文献４】特開２００２‐２５３７１７号公報
【特許文献５】特表２００８‐５３３４６３号公報
【特許文献６】登録実用新案第３１３３２９５号公報
【発明の概要】
【発明が解決しようとする課題】
【０００６】
そこで本発明の解決すべき課題は、ゴルフコースのグリーン上でゴルフボールとゴルフカップとの間に位置する領域の傾斜の状態を測定に正確に反映させることが可能な、かつゴルフプレイ時に携帯することが容易な水準器を提供することである。
【課題を解決するための手段】
【０００７】
上記課題を解決するため、本発明にかかるグリーン用水準器を、水準器本体と、一以上のスライダと、三以上の支持脚と、を備えるものとしたのである。
ここで前記水準器本体は、その内部に仮想される測定基準面の傾斜の状態を測定して表示可能に構成されている。
またここで前記スライダは、前記測定基準面とほぼ平行にスライド可能なように前記水準器本体に対して取り付けられ、前記水準器本体から最も離反する展開位置と最も近接する折り畳み位置との間で切り替え可能に構成されている。
さらにここで前記各支持脚は、前記スライダが複数ある場合には、その各スライダに対して、前記スライダが一つである場合には、そのスライダおよび前記水準器本体に対して、回転可能なように取り付けられ、前記測定基準面に対してほぼ垂直となる起立位置とほぼ平行となる倒伏位置との間で切り替え可能であり、前記起立位置において前記水準器本体をグリーン上から浮き上がった状態に支持するように構成されている。
【０００８】
前記各支持脚は、前記スライダのスライド方向と直交する方向に沿ってスライド可能なように前記スライダまたは前記水準器本体に取り付けられ、取り付けられた前記スライダまたは前記水準器本体から最も離反する展開位置と最も接近する折り畳み位置との間で切り替え可能に構成されているのが好ましい。
【０００９】
前記各支持脚の展開位置および折り畳み位置でその回転を阻止し、かつ展開位置と折り畳み位置との中間位置でその回転を許容するロック機構をさらに備えるのが好ましい。
【発明の効果】
【００１０】
本発明のグリーン用水準器を使用する際には、支持脚を起立位置に切り替えてグリーン上に置くと、前記水準器本体はグリーン上から浮き上がった状態に支持されるため、水準器本体の底部を凹凸の激しいグリーンに直接接触させて傾斜の状態を測定するような場合と比較して、水準器本体がぐらつきにくく、より正確な傾斜の状態の測定が可能となる。
【００１１】
グリーン用水準器の使用時には、スライダをスライドさせて展開位置へと切り替えることで、全体寸法を大きくすることができる。このため、比較的広い領域の傾斜の状態を、水準器本体における測定に反映させることができる。
またグリーン用水準器の不使用時には、スライダを折り畳み位置へと切り替え、かつ各支持脚を倒伏位置へと切り替えることで、嵩張らないようにすることができ、携帯が容易となる。
【００１２】
グリーン用水準器の使用時に、スライダを展開位置に切り替えることに加えて、支持脚も展開位置へと切り替えられるように構成すると、全体寸法をさらに大きくすることができる。このため、いっそう広い領域の傾斜の状態を、水準器本体における測定に反映させることができる。
【００１３】
支持脚を展開位置および折り畳み位置において回転不能とすることで、水準器の使用時に支持脚が意図せずに倒れて測定の妨げとなったり、水準器の不使用時に支持脚が意図せずに起き上がって携帯の妨げとなったりすることが防止される。
また、展開位置と折り畳み位置との中間位置においては、支持脚の回転が許容されることから、支持脚の起立位置と倒伏位置との切り替えは、この中間位置において容易におこなうことができる。
【図面の簡単な説明】
【００１４】
【図１】実施形態のグリーン用水準器の（ａ）は上方よりみた（ｂ）は下方よりみた全体斜視図
【図２】実施形態のグリーン用水準器の（ａ）は短辺方向に沿った（ｂ）長辺方向に沿った断面図
【図３】実施形態のグリーン用水準器の上方よりみた分解要部斜視図
【図４】実施形態のグリーン用水準器の（ａ）は全体上面図、（ｂ）は（ａ）の矢印断面図
【図５】実施形態のグリーン用水準器の（ａ）は要部上面図、（ｂ）は（ａ）の矢印断面図
【図６】実施形態のグリーン用水準器の上方よりみた要部斜視図
【図７】実施形態のグリーン用水準器の（ａ）は要部上面図、（ｂ）は（ａ）の矢印断面図
【図８】実施形態のグリーン用水準器の上方よりみた斜視図
【図９】実施形態のグリーン用水準器の使用状態を示す図
【発明を実施するための形態】
【００１５】
以下、図面を参照しつつ本発明の実施形態について説明する。
図１〜図９に示す、実施形態のグリーン用水準器１は、グリーンＧ上において、ゴルフボールＢとゴルフカップＣとの間の領域の傾斜の状態を測定するのに好適に使用される。
また、図１および図２のように、実施形態のグリーン用水準器１は、不使用時は嵩張らないようにコンパクトに折り畳むことができ、携帯が容易なものである。
実施形態のグリーン用水準器１は、水準器本体１０と、水準器本体１０に取り付けられる一対のスライダ２０、２０と、各スライダ２０、２０にそれぞれ一対に取り付けられる脚体３０、３０、３０、３０と、を備える。
【００１６】
図１および図２のように、水準器本体１０は、全体が扁平な直方体形をなしており、液体容器１１と、液体容器１１に収納される液体１２と、液体容器１１の開口をふさぐ蓋板１３とを備える。
【００１７】
液体容器１１は、矩形の底壁１１ａと、底壁１１ａの表面においてその長辺である両側辺からほぼ垂直に立ち上がる一対の側壁１１ｂ、１１ｂと、底壁１１ａの表面においてその短辺である両端辺から側壁１１ｂ、１１ｂとほぼ同じ高さでほぼ垂直に立ち上がる一対の端壁１１ｃ、１１ｃとを有する。
液体容器１１の底壁１１ａと側壁１１ｂ、１１ｂおよび端壁１１ｃ、１１ｃにより囲まれる扁平な収納空間は、上方に向けて開口しており、ここには水等の液体１２が充填されている。
【００１８】
蓋板１３は、液体容器１１の底壁１１ａと相似形の矩形であり、その長辺である両側辺が一対の側壁１１ｂ、１１ｂの各上縁に、その短辺である両端辺が一対の端壁１１ｃ、１１ｃの各上縁にそれぞれ重なり合い、接着剤等で固定されることで、液体容器１１の開口を閉鎖している。
また蓋板１３は、透明性の高い樹脂やガラスなどを材料に透明または半透明に構成されており、蓋板１３を通じて液体容器１１の収納空間内の状態が視認できるようになっている。
ここで、液体容器１１の収納空間に対する液体１２の充填の度合いは、液体容器１１の開口を蓋板１３で閉鎖した際に、蓋板１３を通じて良好に視認容易な程度の寸法を有する気泡１２ａが、液体１２中に形成されるように調整されているものとする。
【００１９】
また図１（ａ）および図８のように、矩形の蓋板１３には、その中心部から両側辺および両端辺に向けて延びる基準線１３ａが表示されている。四方に延びた基準線１３ａは全体として十字型をなしており、その各端部には外向きの矢印が付されている。
ここで、図１（ａ）および図２のように、液体容器１１内の液体１２中に形成される気泡１２ａと、蓋板１３の基準線１３ａとは、水準器本体１０が水平位置にあるときに、気泡１２ａが基準線１３ａのほぼ中心に位置するように調整されているものとする。
【００２０】
水準器本体１０の内部には、液体容器１１の底壁１１ａおよび蓋板１３と平行な測定基準面が仮想される。
気泡１２ａは、水準器本体１０の傾斜の度合いに応じてその傾斜方向の上流側へと液体１２中を移動するため、気泡１２ａと基準線１３ａとの位置関係を確認することで、水準器本体１０の（測定基準面の）傾斜の状態が把握できるようになっている。
図１（ａ）および図８のように、この矢印に近接して、蓋板１３の長手方向の一端には「アップ」、他端には「ダウン」、一側には「フックライン」、他側には「スライスライン」などと、グリーンＧの傾斜の方向を示す表示が付されていると、傾斜の状態の把握がいっそう容易となる。
【００２１】
さらに図２のように、液体容器１１は、底壁１１ａの裏面においてその長辺である両側辺に沿って延びる一対の保持枠１４、１４を有する。
一対の保持枠１４、１４の対向面である内面には、液体容器１１の底壁１１ａの側辺と平行に延びる一対のガイド溝１４ａ、１４ａがそれぞれ形成されている。
また一対の保持枠１４、１４の対向面とは逆側の面である外面の下縁には、液体容器１１の底壁１１ａの側辺と平行に延びる一対の収納溝１４ｂ、１４ｂがそれぞれ形成されている。
また、図２および図４（ａ）のように、液体容器１１の各側壁１１ｂ、１１ｂは、それぞれ両端部の近傍にピンが内向きに貫通しており、そのピンの一部は、保持枠１４、１４間の収納空間内へと突出することでストッパ１５、１５を構成している。
【００２２】
図１から図８のように、一対のスライダ２０、２０はそれぞれ、矩形の底壁２１と、底壁２１の表面においてその長辺である両側辺から立ち上がる一対の側壁２２、２２と、底壁２１の表面においてその短辺である両端辺から側壁２２、２２とほぼ同じ高さで立ち上がる一対の端壁２３、２３と、をそれぞれ有する。
各スライダ２０の底壁２１と側壁２２、２２および端壁２３、２３により囲まれる扁平な収納空間は上方に向けて開口し、ゴルフマーカー等の比較的寸法の小さなゴルフ用具が収納可能となっている。
【００２３】
ここで各スライダ２０の底壁２１の端辺の長さは、液体容器１１の一対の保持枠１４、１４間の距離とほぼ同じかやや小さく形成されている。
また、各スライダ２０の底壁２１の側辺の長さは、液体容器１１の保持枠１４の全長のほぼ半分か半分よりもやや小さく形成されている。さらに各スライダ２０の側壁２２、２２および端壁２３、２３の高さは、液体容器１１の保持枠１４、１４の高さとほぼ同じかやや小さく形成されている。
そのため図１（ｂ）および図２（ｂ）のように、二つのスライダ２０、２０は、水準器本体１０の長手方向に並列した状態で、液体容器１１の一対の保持枠１４、１４間の収納空間にほぼ過不足なく収納できるようになっている。すなわち、一方のスライダ２０は水準器本体１０の長手方向の一端に、他方のスライダ２０は水準器本体１０の長手方向の他端に、それぞれ取り付けられている。
【００２４】
図２（ａ）および図３のように、各スライダ２０の側壁２２、２２の外面には、それぞれ底壁２１の側辺と平行に延びる各一対のガイド条２２ａ、２２ａが形成されている。各スライダ２０が液体容器１１の保持枠１４、１４間に収納された状態で、このガイド条２２ａ、２２ａは保持枠１４、１４のガイド溝１４ａ、１４ａへとはまり込んでいる。
ガイド条２２ａ、２２ａとガイド溝１４ａ、１４ａとの嵌合構造により、各スライダ２０は、水準器本体１０の長手方向に沿って案内される。したがって各スライダ２０は、水準器本体１０の測定基準面と平行にスライドできるようになっている。
【００２５】
ここで一対のスライダ２０、２０のスライド可能な範囲は、図１および図２のように、水準器本体１０に最も近接して両スライダ２０、２０の対向する側の端壁２３、２３同士が突き合う折り畳み位置と、図４および図８のように、水準器本体１０から最も離反して両スライダ２０の対向する側の端壁２３、２３がそれぞれ液体容器１１の両端に位置するストッパ１５、１５に突き当たる展開位置との間に規制されている。
すなわち、スライダ２０を水準器本体１０に対してスライドさせることで、折り畳み位置と展開位置との間で切り替え可能となっている。
【００２６】
図１および図２のような、スライダ２０の折り畳み位置において、実施形態のグリーン用水準器１の長手方向の寸法は最小となって携帯に好適なものとなる。
また図４および図８のような、スライダ２０の展開位置において、実施形態のグリーン用水準器１の長手方向の寸法は最大となってグリーンＧ上での使用に好適なものとなる。
【００２７】
さらに図２（ｂ）および図３のように、各スライダ２０は、底壁２１の外側の端辺にそれぞれ連設される支持枠２４を備える。支持枠２４は、側面視がＬ字型をなしており、底壁２１とほぼ同一平面を構成する底部２４ａと、端壁２３から距離をあけてその端壁２３とほぼ平行に立ち上がる起立部２４ｂと、を有する。
図３のように、Ｌ字型の支持枠２４と端壁２３によって囲まれて上方に開口するチャンネル型の各保持空間には、それぞれ一対の脚体３０、３０がスライダ２０の底壁２１の端辺方向に並列した状態で保持されている。
【００２８】
各スライダ２０の底壁２１の端辺方向の中央部においては、支持枠２４の内面および端壁の外面の対向箇所が凹んでおり、この凹んだ対向箇所に相当する保持空間は、角柱形に窪んだロック解除部２５となっている。
一方、底壁２１の端辺方向の両端部においては、支持枠２４および端壁２３は対向面が凹んでおらず、ロック解除部２５と比較して小さな角柱形に窪んだロック部２６、２６となっている。
各ロック部２６、２６の底壁２１の端辺方向の中央部には、半円柱形に窪んだ軸受部２６ａ、２６ａが設けられている。
図１および図８のように、各支持枠２４の起立部２４ｂの外面（端壁２３との対向面とは逆側の面）には、倒立した正三角形で表される目印２４ｃが付されている。
【００２９】
図３のように、４つの脚体３０、３０、３０、３０は、それぞれＬ字型に屈曲した細長い棒状体からなり、先端がゴルフのグリーンＧに接触可能な丸軸状の支持脚３１、３１、３１、３１と、支持脚３１、３１、３１、３１に対してほぼ垂直に連結されて回転の中心軸となる回転軸３２、３２、３２、３２と、を有する。
各支持脚３１は、先端に近づくにつれて丸軸の径が微少に窄まっており、かつ先端は丸みを帯びている。
各回転軸３２は、その長手方向の中央部が円柱形の丸軸部３２ａに形成されており、両端部が角柱形の角軸部３２ｂ、３２ｂに形成されている。
【００３０】
丸軸部３２ａの軸径は、スライダ２０の軸受部２６ａの半円柱の径とほぼ等しいかやや小さく、各スライダ２０の軸受部２６ａに対してそれぞれ軸周りに回転可能にはめ込まれている。
また図４から図７のように、各回転軸３２は、各スライダ２０の軸受部２６ａに支持された状態で、その軸方向にもスライド可能となっている。このスライド方向は、スライダ２０のスライド方向と直交する方向、すなわち水準器本体１０の短手方向となる。
【００３１】
このような回転軸３２の軸方向へのスライドにともない、内側の角軸部３２ｂは、スライダ２０の保持空間のロック解除部２５内とロック部２６内との間、また外側の角軸部３２ｂは、スライダ２０の保持空間のロック部２６内と保持空間外との間で移動可能となっている。
各スライダ２０の一対のロック部２６、２６における角柱の幅は、各脚体３０の一対の角軸部３２ｂ、３２ｂにおける角柱の幅とほぼ同じかやや大きく形成されている。
また各スライダ２０のロック解除部２５の角柱の幅は、各脚体３０の角軸部３２ｂ、３２ｂの幅よりもはるかに、たとえば２倍程度に大きくなっている。
このため、図４および図７のように、いずれかの角軸部３２ｂ、３２ｂがスライダの保持空間のロック部２６内にあるときには、回転軸３２は軸周りの回転が阻止されてロックされる。
一方、図５および図６のように、内側の角軸部３２ｂが各スライダ２０の保持空間のロック解除部２５内にあるとき、または外側の角軸部３２ｂがスライダ２０の保持空間外にあるときには、回転軸３２のロックは解除されて軸周りに回転自在となる。
【００３２】
さらに各脚体３０の軸方向へのスライド範囲は、図４（ａ）のようにスライダに最も接近して、両回転軸３２、３２の対向する角軸部３２ｂ、３２ｂ同士が突き合う折り畳み位置と、図７（ａ）のようにスライダ２０から最も離反して、両回転軸３２、３２の対向する角軸部３２ｂ、３２ｂがそれぞれスライダ２０の保持空間の軸受部２６ａ、２６ａへと突き当たる展開位置との間に規制されている。
このような各脚体３０の折り畳み位置と展開位置のいずれにおいても、図４（ｂ）および図７（ｂ）のように、各回転軸３２のいずれか一方の角軸部３２ｂ、３２ｂがロック部２６へとはまり込み、回転軸３２の軸周りの回転が阻止される。
また図３および図５のような、各脚体３０の折り畳み位置と展開位置との中間位置において、内側の角軸部３２ｂはロック解除部２５内に位置し、外側の角軸部３２ｂはスライダ２０の保持空間外に位置することでロックが解除されているため、回転軸３２は軸周りに回転自在となる（図５（ｂ）参照）。
すなわち、回転軸３２の両角軸部３２ｂ、３２ｂと保持空間のロック部２６およびロック解除部２５と保持空間の外部とがロック機構を構成する。
【００３３】
回転軸３２のロックが解除された状態で、回転軸３２を軸周りに回転させることで脚体３０は、図６（ｂ）のように、各脚体３０を支持脚３１が鉛直方向に向く起立位置と、図６（ａ）のように、支持脚３１が水平方向に向く倒伏位置との間で切り替え可能となっている。
【００３４】
図４（ａ）のような脚体３０の折り畳み位置において、実施形態のグリーン用水準器１の短手方向の寸法は最小となり、かつ図２（ａ）のような脚体３０の倒伏位置において、その支持脚３１は保持枠１４の収納溝１４ｂに収納されて、携帯に好適なものとなる。
また図７（ａ）および図８のような脚体３０の展開位置および起立位置において、実施形態のグリーン用水準器１の短手方向の寸法は最大となり、かつ脚体３０の支持脚３１の丸みを帯びた先端部がグリーンＧ上に接触可能となって、グリーンＧ上での使用に好適なものとなる。
【００３５】
実施形態のグリーン用水準器１の構成は以上のようであり、次にその使用方法について説明する。
【００３６】
いま図１および図２のような、実施形態のグリーン用水準器１が持ち運びの容易な状態から、図３および図４のように、両スライダ２０、２０を引き出す方向にスライドさせてそれぞれ折り畳み位置から展開位置へと切り替える。
次いで図５および図６のように、四つの脚体３０、３０、３０、３０を回転軸３２の軸に沿って引き出す方向にスライドさせる。
【００３７】
さらに各脚体３０は、図５および図６のような、折り畳み位置から展開位置に向けての中間位置において、回転軸３２を軸周りに回転させて倒伏位置から起立位置へと切り替える。
このとき回転軸３２の内側の角軸部３２ｂは、ロック解除部２５内に位置し、外側の角軸部３２ｂは、保持空間外に位置するため、ロックは解除されており回転操作は妨げられない。
最後に図７および図８のように、各脚体３０を回転軸３２の軸に沿って引き出す方向にさらにスライドさせ、中間位置から展開位置へと完全に切り替える。
この状態で、回転軸３２の内側の角軸部３２ｂは、ロック部２６内へと入り込むため、脚体３０は起立位置においてロックされ回転不能となる。
【００３８】
このようにして、スライダ２０を展開位置へと切り替え、脚体３０を展開位置および起立位置へと切り替えた実施形態のグリーン用水準器１を、図９のように、グリーンＧ上のゴルフボールＢとゴルフカップＣとの間に設置する。脚体３０の支持脚３１により、水準器本体１０はグリーン上から浮き上がった状態に支持される。
このとき、ゴルフボールＢとゴルフカップＣとをつなぐ仮想直線上にスライダ２０の目印２４ｃが位置するように、実施形態のグリーン用水準器１を位置調整するものとする。
このような設置状態において、水準器本体１０の気泡１２ａと基準線１３ａとの位置関係を目視することで、ゴルフボールＢからゴルフカップＣにかけてのラインの傾斜の状態を測定することが可能となる。
この測定結果に基づいて、ゴルフパターＰによるパッティングをおこなう。
【００３９】
実施形態のグリーン用水準器１は、スライダ２０の展開位置への切り替えにより長手方向に拡がり、脚体３０の展開位置への切り替えにより短手方向に拡がっているため、グリーンＧ上の比較的広範な範囲の傾斜の状態を反映させることができる。
また、実施形態のゴルフグリーン用水準器１は、起立位置へと切り替えられた脚体３０の支持脚３１が、グリーンＧにおいて四点接触の状態で水準器本体１０を支持するため、グリーンＧ上の凹凸が大きな場合においてもぐらつきにくく、正確な測定が可能である。
【００４０】
実施形態のグリーン用水準器１は、使用を終えると、上述したのと逆の手順を踏んで、スライダ２０を折り畳み位置に切り替え、脚体３０を倒伏位置および折り畳み位置に切り替えることで、図１および図２のようなコンパクトな状態に折り畳んで、持ち運びに供される。脚体３０が折り畳み位置かつ倒伏位置にあるときに、回転軸３２の外側の角軸部３２ｂがロック部２６へと入り込んであるため回転不能となっている。
【００４１】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００４２】
たとえば実施形態では、水準器本体１０はいわゆる気泡管式の水準器であるが、傾斜を測定可能である限りにおいて、レーザー式など他の形式も水準器で代替してもよい。
また水準器本体１０の形状も実施形態のような扁平な直方体形に限定されず、楕円柱形、円柱形などでもよい。
【００４３】
スライダ２０の形状および水準器本体１０への取り付けの態様、脚体３０の形状およびスライダ２０への取り付けの態様も実施形態に限定されない。
スライダ２０および脚体３０のスライド範囲を規制する機構についても実施形態に限定されず、公知の機構で代替可能である。
実施形態では、スライダ２０を水準器本体１０の長手方向にスライド可能に構成したが、水準器本体１０の短手方向等の他の方向にスライド可能に構成してもよい。スライダ２０が水準器本体１０の短手方向にスライド可能に構成した場合、脚体３０はこれと直交する方向、すなわち水準器本体１０の長手方向にスライド可能に構成する。
スライダ２０の数は、実施形態の２個に限定されず、１個としてもよいし、３個以上としてもよい。スライダ２０が１個の場合には、脚体３０は、そのスライダ２０と水準器本体１０に取り付けるものとする。
【００４４】
脚体３０のロックおよびロック解除機構も実施形態に限定されず、公知の嵌合構造及び係合構造により代替可能である。
脚体３０のロックおよびロック解除機構は、省略可能であり、かかる省略によりグリーン用水準器１の製造コストの低廉化が図られる。
また脚体３０の支持脚３１は、回転軸３２の軸方向にスライドしないように構成してもよい。たとえば、各スライダ２０に取り付けられる一対の支持脚３１、３１は、一つの回転軸３２の両端部にそれぞれ連結されている構成などでもよい。
支持脚３１の数は、実施形態の４個に限定されず、３個としてもよいし、５個以上としてもよい。
【符号の説明】
【００４５】
１  実施形態のグリーン用水準器
１０  水準器本体
１１  液体容器
１１ａ  底壁
１１ｂ  側壁
１１ｃ  端壁
１２  液体
１２ａ  気泡
１３  蓋板
１３ａ  基準線
１４  保持枠
１４ａ  ガイド溝
１４ｂ  収納溝
１５  ストッパ
２０  スライダ
２１  底壁
２２  側壁
２２ａ  ガイド条
２３  端壁
２４  支持枠
２４ａ  底部
２４ｂ  起立部
２４ｃ  目印
２５  ロック解除部
２６  ロック部
２６ａ  軸受部
３０  脚体
３１  支持脚
３２  回転軸
３２ａ  丸軸部
３２ｂ  角軸部
Ｂ  ゴルフボール
Ｃ  ゴルフカップ
Ｐ  ゴルフパター
Ｇ  グリーン
【要約】
【課題】ゴルフコースのグリーン上でゴルフボールとカップとの間に位置する領域の傾斜の状態を測定に正確に反映させることが可能な、かつゴルフプレイ時に携帯することが容易な水準器を提供する。
【解決手段】本発明にかかるグリーン用水準器１を、水準器本体１０と、二個のスライダ２０、２０と、四個の支持脚３１、３１、３１、３１と、を備えるものとする。水準器本体１０は、傾斜の状態を測定して表示可能に構成されている。スライダ２０は、水準器本体１０の長手方向に沿ってスライド可能なように、水準器本体１０の長手方向の両端部にそれぞれ取り付けられ、展開位置と折り畳み位置との間で切り替え可能に構成されている。支持脚３１は、回転軸３２の軸周りに回転可能なように、かつ回転軸３２の軸方向にスライド可能に各スライダ２０に一対ずつ取り付けられ、回転により起立位置と倒伏位置との間で切り替え可能に、かつスライドにより展開位置と折り畳み位置との間で切り替え可能に構成されている。
【選択図】図８【図１】
0005873535.tif 000002
【図２】
0005873535.tif 000003
【図３】
0005873535.tif 000004
【図４】
0005873535.tif 000005
【図５】
0005873535.tif 000006
【図６】
0005873535.tif 000007
【図７】
0005873535.tif 000008
【図８】
0005873535.tif 000009
【図９】
0005873535.tif 000010